(57)【要約】【課題】操作部カバーの浮きが発生しないような構成を有する洗濯機を提供すること。【解決手段】洗濯機本体１の上部に装着された上部枠体２９と、上部枠体２９の前部内方に装着され制御基盤９を収容する制御基盤収納部１０と、上部枠体２９の前部上面に形成され略中央部に複数の孔部２６ａ、２６ｂを有する操作部略平面部３０と、裏面に接着部材を有し操作部略平面部３０に貼着された操作部カバー３１とを備え、操作部略平面部３０は、複数の孔部２６ａ、２６ｂを有しない略平面部の表面にスリット状の溝３２を複数本形成したことにより、上部枠体と操作部カバー間の接着力の分散化が図れるため、接着部材の剥がれによる操作部カバーの浮きを防ぐことが可能である。【選択図】図３
2011143083.tif 000002
【特許請求の範囲】
【請求項１】
洗濯槽を回転自在に内包する外槽と、この外槽を支持する洗濯機本体と、この洗濯機本体の上部に装着された上部枠体と、この上部枠体の前部内方に装着され制御基盤を収容する制御基盤収納部と、前記上部枠体の前部上面に形成され略中央部に複数の孔部を有する操作部略平面部と、裏面に接着部材を有し前記操作部略平面部に貼着された操作部カバーとを備え、前記操作部略平面部は、前記複数の孔部を有しない略平面部の表面にスリット状の溝を複数本形成した洗濯機。
【請求項２】
スリット状の溝は、操作部略平面部の横方向に対して略直角に設けた請求項１記載の洗濯機。
【請求項３】
操作部略平面部は傾斜面とし、スリット状の溝の傾斜面最低部の位置における前記操作部略平面部に小孔開口部を形成した請求項１または２に記載の洗濯機。
【発明の詳細な説明】
【技術分野】
【０００１】
本発明は、本体上部内方に制御基盤を配設した洗濯機に関するものである。
【背景技術】
【０００２】
従来、この種の洗濯機は図８，図９に示すような構成が一般的である（例えば、特許文献１参照）。
【０００３】
図８は、特許文献１に記載された従来の洗濯機の外観図を示し、図９は従来の洗濯機の上部枠体前部の縦断面図を示すものである。
【０００４】
図８、図９において、洗濯機本体１は、上部に上部枠体３を装着し、上部枠体３の略中央部に衣類投入口（図示せず）を形成し、開閉自在の蓋５で覆っている。また、上部枠体３の前部内方には使用者が洗濯条件の設定や、スタート、一時停止等の操作を行うスイッチ２４や発光ダイオード等の発光素子２３などを構成し洗濯行程の進行表示等を行う制御基盤９を内装した制御基盤収納部１０を配する。
【０００５】
制御基盤９は、表裏両面を防湿材のウレタン樹脂等にてなるポッティング材（図示せず）等にて被覆されて制御基盤収納部１０内部に保持されている。
【０００６】
この制御基盤収納部１０の上面側には、上部枠体３との間にボタン部１１及び制御基盤９に配設された発光素子２３の光を表面に導く導光経路１６を一体に設けた操作パネル部１２が被覆するように設けられている。また、上部枠体３の前部上面には１ｍｍ程度の凹みが設けられた操作部略平面部３０が設けられており、操作パネル部１２に設けたボタン部１１に対応した孔部２６ａ、および導光経路１６に対応した孔部２６ｂが配設してある。
【０００７】
制御基盤９を内装した制御基盤収納部１０と、操作パネル部１２とは予め固着されユニット部材として構成し、その後上部枠体３内方に取り付けられている。
【０００８】
制御基盤９は、操作制御基盤部９ａと電源制御基盤部９ｂから成っている。これは発火発煙になる危険度が高い電源部を分けて安全構造を容易にするためである。
【０００９】
上部枠体の３の操作部略平面部３０の上面部には、透明ＰＥＴシート材に操作表示内容を印刷した操作部カバー１３が剥離防止や防水のために両面テープ１３ａにて貼着されている。
【００１０】
上部枠体３は、安価で入手し易いことからポリプロピレン樹脂（ＰＰ材料）の成型品にて構成されていることが一般的であり、また、操作部カバー１３は上部枠体３の樹脂材料と異なり発光素子２３の光を可視化のため透過させる必要があり、透明性のある材料を、一般的には汎用性のあるＰＥＴシート材が使用されている。
【先行技術文献】
【特許文献】
【００１１】
【特許文献１】特開２００８−６０４６号公報
【発明の概要】
【発明が解決しようとする課題】
【００１２】
しかしながら従来の構成では、デザイン性の向上と安全設計を容易にするために、制御基盤９は、ボタン部１１と発光素子２３を有する操作制御基盤部９ａと電源制御基盤部９ｂとに分割しており、どうしても洗濯機の中央部にスイッチ２４と発光素子２３部が集中する構成になっていた。
【００１３】
そのため、操作部カバー１３の両サイドにボタン部１１を有さない部分が集中するため、両面テープ１３ａの接着面積が中央部分より両サイドが大きくなり、中央部分はボタン部１１や発光素子２３に対応した孔部２６ａと孔部２６ｂがあるため、両面テープ１３ａの面積が少なくなっていた。
【００１４】
このような構成では、環境の温度変化による材料の熱収縮差が発生した場合、ポリプロピレン樹脂（ＰＰ材料）から成る上部枠体３は線膨張率が大きく、ＰＥＴシート材から成る操作部カバー１３の線膨張率はそれより小さいために、また上記のように中央部と両サイドで操作部カバー１３裏面の両面テープ１３ａの接着面積が大きく異なるため、操作部カバー１３が、図１０のように両サイドが収縮しにくく、孔部２６ａと孔部２６ｂが多い中央部が収縮し易いため、操作カバー部１３の中央部が浮きやすくなっており、水分の侵入等により防水性が損なわれるという課題を有していた。
【００１５】
本発明は上記従来の課題を解決するもので、操作性及びデザイン性を向上させつつ、スイッチ部の操作部カバーの浮きが発生しないような構成を提供させることを目的としている。
【課題を解決するための手段】
【００１６】
上記従来の課題を解決するために、本発明の洗濯機は、洗濯槽を回転自在に内包する外槽と、この外槽を支持する洗濯機本体と、この洗濯機本体の上部に装着された上部枠体と、この上部枠体の前部内方に装着され制御基盤を収容する制御基盤収納部と、前記上部枠体の前部上面に形成され略中央部に複数の孔部を有する操作部略平面部と、裏面に接着部材を有し前記操作部略平面部に貼着された操作部カバーとを備え、前記操作部略平面部は、前記複数の孔部を有しない略平面部の表面にスリット状の溝を複数本形成したことにより、接着部材にて貼り付け固定した操作部カバーに接着部材が接着しない部分を形成することにより、高温状態や、低温状態などの環境温度変化が発生しても接着部材の接着部が浮き上がりにくいようにするものである。
【００１７】
これにより、操作パネル部が高温になったり低温になったりして温度変化が大きい環境にさらされたとしても、接着部材の接着部が浮き上がらないようにしたものである。
【発明の効果】
【００１８】
本発明の洗濯機は、上部枠体と操作部カバー部に熱収縮による収縮差が発生しにくいようにする事が出来るため、制御基盤収納部に水などが浸入しにくくなり安定した操作性と、信頼性を確保できる。
【図面の簡単な説明】
【００１９】
【図１】本発明の実施の形態における洗濯機の縦断面図
【図２】同洗濯機の上部枠体前部の縦断面図
【図３】同洗濯機の要部分解斜視図
【図４】同洗濯機の上部枠体前部の平面図
【図５】同洗濯機の上部枠体前部の要部縦断面図
【図６】同洗濯機の上部枠体前部のスリット状の溝部の縦断面図
【図７】同洗濯機の上部枠体部簡略説明図
【図８】従来の洗濯機の外観図
【図９】従来の洗濯機の上部枠体前部の要部分解斜視図
【図１０】従来の洗濯機の上部枠体部簡略説明図
【発明を実施するための形態】
【００２０】
第１の発明は、洗濯槽を回転自在に内包する外槽と、この外槽を支持する洗濯機本体と、この洗濯機本体の上部に装着された上部枠体と、この上部枠体の前部内方に装着され制御基盤を収容する制御基盤収納部と、前記上部枠体の前部上面に形成され略中央部に複数の孔部を有する操作部略平面部と、裏面に接着部材を有し前記操作部略平面部に貼着された操作部カバーとを備え、前記操作部略平面部は、前記複数の孔部を有しない略平面部の表面にスリット状の溝を複数本形成したものである。
【００２１】
これによって、上部枠体の材料と操作部カバー部との材料の収縮差が異なっていても、このスリット状の溝を追加することにより、スイッチや、発光素子等に対応した孔を多く設けている中央部分と、孔が無い略平面部分の接着強度を同等に近づけることが出来るため、従来例のように接着強度の弱い略中央部が浮き上がることを防止できる。
【００２２】
また、略均等に溝を設けると操作部カバー部が波打つこともなくなり、操作部カバー全体を均等に収縮させることが可能なためデザイン性を失うことなく、制御基盤収納部や制御基盤に水や埃など浸入しにくくでき、使い勝手が良く信頼性の高い洗濯機を提供させる事ができる。
【００２３】
第２の発明は、第１の発明において、スリット状の溝は、操作部略平面部の横方向に対して略直角に設けたことにより、横方向の収縮のバラツキを確実に減少させ、収縮差を吸収しやすくする事が可能になる。
【００２４】
第３の発明は、第１または第２の発明において、操作部略平面部は傾斜面とし、スリット状の溝の傾斜面最低部の位置における前記操作部略平面部に小孔開口部を形成したことにより、操作部カバーを操作部略平面部に貼り付け時に、スリット状の溝に空気が溜まり温度変化によってその空気が膨らみ操作部カバー表面が膨らんだりすることを防止することができる。
【００２５】
以下、本発明の実施の形態について、図面を参照しながら説明する。なお、従来例と同じ構成のものは同一符号を付して説明を省略する。また、この実施の形態によって本発明が限定されるものではない。
【００２６】
（実施の形態１）
図１は、本発明の第１の実施の形態における洗濯機の縦断面図、図２は、同洗濯機の上部枠体前部の縦断面図を示すものである。
【００２７】
図１に示すように、この洗濯機本体１の上部に上部枠体２９を装着し、上部枠体２９の略中央部に衣類投入口４を形成し、蓋５で開閉自在に覆っている。また、上部枠体２９の後部に電磁給水弁６と、注水口部材７を内蔵し、後方パネル部材８で覆っている。
【００２８】
また、図２に示すように、上部枠体３の前部内方にはスイッチ２４や発光ダイオード等の発光素子２３を構成した制御基盤９を内蔵しており、この制御基盤９は表裏両面を防水処理のウレタン樹脂等にてなるポッティング材１７等にて封止するために、制御基盤９を下部より覆設するように構成した制御基盤収納部１０の内部に固定されている。
【００２９】
この制御基盤収納部１０の上面側には、上部枠体２９との間にボタン部１１、及び制御基盤９に配設された発光素子２３の光を表面に導く導光経路１６を一体に設けた操作パネル部１２を被覆するように配し、操作パネル部１２は制御基盤収納部１０との取り付けを安定させるために前部にて、ネジ１８にて制御基盤収納部１０に形成したボス部２０にねじ止めしており、後部はＬ字状に形成した爪部１９にて嵌着係止するように構成している。なお、後部を爪部に代わってネジ固定しても同じ効果を得られる。
【００３０】
制御基盤９を内設した制御基盤収納部１０と、操作パネル部１２とは上記のようにねじ止め等により、予め固着されユニット部材として構成し、その後上部枠体２９に取り付けるものである。
【００３１】
図３のとおり、上部枠体２９の前部上面には１ｍｍ程度の凹みが設けられた操作部略平面部３０を設けており、操作パネル部１２に設けたボタン部１１に対応した孔部２６ａ、および導光経路１６に対応した孔部２６ｂを配設している。操作部略平面部３０には、シートにボタン操作とコースや工程の内容を印刷し、裏面に両面テープ（接着部材）１３ａを貼り付けた操作部カバー３１を貼着している。
【００３２】
また、操作パネル部１２と上部枠体２９の間には操作パネル部１２からボタン部１１を突出させる事で設けられた空間部２１を有しており、この空間部２１に上部枠体２９よりリブ２２ａや２２ｂを設け、その先端を操作パネル部１２の上面に当接させる事で、上部枠体２９の強度向上や、高さ関係の寸法安定を図り、ボタン部１１の操作を確実にしている。
【００３３】
制御基盤収納部１０の下方には、保護カバー１５が制御基盤収納部１０を支えるように構成しており、この保護カバー１５は上部枠体２９にネジ、または爪（図示せず）により固定されている。
【００３４】
図４は、同洗濯機の上部枠体前部の平面図、図５は同洗濯機の上部枠体前部の要部縦断面図、図６は、同洗濯機の上部枠体前部のスリット状の溝部の縦断面図を示すものである。
【００３５】
制御基盤９は、操作制御基盤部９ａと電源制御基盤部９ｂから成っており、操作部略平面部３０の淵部２７と操作部カバー３１の間には両側あるいは片側に隙間２８が設けられている。
【００３６】
また、上部枠体２９の前部上面に設けられた操作部略平面部３０には複数本のスリット状の溝３２が形成されている。なお、この溝３２は横長の操作部略平面部３０の横方向に対して略直角に細長状に形成されている。操作部略平面部３０は操作性から前面に傾斜しており、それと同じように傾斜したスリット状の溝３２の傾斜面最低部に小孔開口部１４が形成されている。
【００３７】
このような構成により、溝３２と小孔開口部１４を有しない従来例よりも、上部枠体２９の両サイドの（孔部２６ａ、２６ｂのような）孔部が無い部分の接着面積と、中央部分の孔部２６ａ、２６ｂがある部分の接着面積とを近くすることができ、接着強度を操作部全体に分散化出来るため、従来例のように接着強度の弱い中央部分が浮き上がることを防止できる。
【００３８】
すなわち図７のように、操作部カバー３１の両サイドと孔部２６ａと孔部２６ｂ等を有する中央部における接着強度が近づくため、操作部カバー３１の中央部が浮きにくくなっており、スリット状の溝３２に溜まった空気が膨らみ操作部表面部が膨らんだりすることも防止することができる。
【００３９】
なお、本発明の上部枠体２９の操作部略平面部３０にスリット状の溝３２を設ける代わりに、両面テープをスリット状の溝と同位置、同形状に切り抜いても同様の効果をもたらすことが可能である。
【産業上の利用可能性】
【００４０】
以上のように、本発明にかかる洗濯機は、操作部カバーの両面テープの接着強度を略均等に分散させることが出来るため、操作部カバーが剥離して水分の侵入等により防水性が損なわれることなく、制御基盤の信頼性が向上するので、制御基盤を有する洗濯機分野で有用である。
【符号の説明】
【００４１】
１      洗濯機本体
９      制御基盤
１０    制御基盤収納部
１１    ボタン部
１３ａ  両面テープ（接着部材）
１４    小孔開口部
２４    スイッチ
２６ａ、２６ｂ  孔部
２９    上部枠体
３０    操作部略平面部
３１    操作部カバー
３２    スリット状の溝
【図１】
2011143083.tif 000003
【図２】
2011143083.tif 000004
【図３】
2011143083.tif 000005
【図４】
2011143083.tif 000006
【図５】
2011143083.tif 000007
【図６】
2011143083.tif 000008
【図７】
2011143083.tif 000009
【図８】
2011143083.tif 000010
【図９】
2011143083.tif 000011
【図１０】
2011143083.tif 000012